(57)【要約】【課題】タブが正確に満たされたか否かをユーザに指示するデータエントリシステムを提供する。【解決手段】ユーザによりコンピュータにデータを入力するためのタブフォームを有するデータエントリシステムは、各タブフォーム（１１、１３）エントリを有効エントリと比較し、エラーエントリまたは正しいエントリの存在を決定する比較器と、各フォームに近似した位置に前記フォーム上のサインを表示するインディケータと、前記エラーについて別の情報を表示し、ユーザからの要求により見ることができるツールチップ（１９）と、を備える。サインは前記比較器からの情報に基づいてエラーエントリまたは正しいエントリを表示し、比較器は、新しいデータエントリを再び比較してエラーエントリまたは正しいエントリの存在を決定し、そして前記インディケータは訂正がされた各時間にサインを表示する。【選択図】図3
2006178971.tif 000002
【特許請求の範囲】
【請求項１】
各タブフォーム（１１、１３）エントリを有効エントリと比較し、エラーエントリまたは正しいエントリの存在を決定する比較器と、
各フォームに近似した位置に前記フォーム上のサインを表示するインディケータと、前記サインは前記比較器からの情報に基づいてエラーエントリまたは正しいエントリを表示し、
前記エラーについて別の情報を表示し、ユーザからの要求により見ることができるツールチップ（１９）と、を備え、
前記比較器は、新しいデータエントリを再び比較してエラーエントリまたは正しいエントリの存在を決定し、そして前記インディケータは訂正がされた各時間にサインを表示する、
ユーザによりコンピュータにデータを入力するためのタブフォームを有するデータエントリシステム。
【請求項２】
前記有効エントリは正しいエントリが収まらなければならない範囲内のエントリの有効範囲を含む、請求項１に記載のシステム。
【請求項３】
前記有効エントリは、正しいエントリが収まらなければならない測定の有効ユニットを含む、請求項１に記載のシステム。
【請求項４】
前記システムはコンピュータ画面上に表示されそして前記ツールチップは、フォームにおけるデータのエントリ後に表示されるインディケータのサイン上にコンピュータの矢印１７と接触して作動される、請求項１に記載のシステム。
【請求項５】
前記コンピュータは、少なくとも２つのタブフォームにおけるエントリを含み、前記少なくとも２つのタブフォーム間の関係が有効であるか否かを決定する、請求項１に記載のシステム。
【発明の詳細な説明】
【技術分野】
【０００１】
本発明は、一般に文書編集システムおよびツールバーを使用する方法に関する。特に、本発明は、各タブが正しく満たされたか否かを指示する、タブ・キャプションへの画像の追加に関する。
【背景技術】
【０００２】
データシステムまたは他の情報システムが満たすための多くのフィールドを有するフォームを使用する時に、幾つかのタブが通常は用いられる。各タブはフィールドを含む。現在、ユーザは、アドレス、または復帰アドレスのような、既に正しく満たされている情報を所有していない。ユーザはまた、彼または彼女は選択されたタブを単に見るので何を見逃しているか分からない。
【０００３】
Ｃａｍｐ等による米国特許出願番号２００２／０１１６３９９は、文書編集システムおよびタブ機能（００７４）、アロー（矢）訂正（００３９、００６４、００７０）、ツールバー（００４９、００５４）を開示している。米国特許出願番号２００３／０１６４８５９は、編集用のタブ付きフォーム（０００８、０００９、００１４）を有するユーザインターフェースおよびエラー条件および妥当性検査のチェック（０００４）を開示している。
【０００４】
米国特許番号５，６４４，７３７および６，５２４，８３１は一般にツールバーを開示しているものの、タブの正しい充てんと不正の充てん間の区別をしていない。米国特許番号５，９９９，１７９と６，６６４，９７８は、あたかもユーザがネットワークに存在しているように遠隔ユーザに見せることを認めるクライアントサーバ・ネットワーク管理に関係している。先行技術のいずれも正しいデータとミッシングまたは不正確なデータとの間を区別する必要性を認識していない。
【特許文献１】Ｃａｍｐ等による米国特許出願番号２００２／０１１６３９９
【特許文献２】米国特許出願番号２００３／０１６４８５９
【特許文献３】米国特許番号５，６４４，７３７
【特許文献４】米国特許番号６，５２４，８３１
【発明の開示】
【発明が解決しようとする課題】
【０００５】
幾つかの方法が、タブが正確に満たされたか否かをユーザに指示するように考案されるならば大きな利点を持つであろう。
【０００６】
幾つかの方法が、タブが不正確に満たされたか否かをユーザに指示するように考案されるならば別の利点を持つであろう。
【０００７】
他の利益と特徴は、以下に示される。
【課題を解決するための手段】
【０００８】
本発明は、ブおよびキーボードを使用するユーザによりコンピュータにデータを入力するためのタブフォームを有するデータエントリシステムおよび方法を提供する。本システムおよび方法は、各タブフォームエントリを有効エントリと比較しそしてエラーエントリまたは正しいエントリの存在を決定する比較器を含む。エントリのステータスは、各フォームに近い位置にフォーム上のサインを指示するインディケータにより示される。サインは比較器からの情報に基づいてエラーエントリまたは正しいエントリを表示する。
【０００９】
ツールチップはエラーについての別の情報を提供するために使用される。ツールチップは、エラーインディケータ上で矢をポインティングするような、ユーザからの要求により視覚できる。データエントリシステムはコンピュータ画面上に表示されるように意図され、そしてツールチップは、フォームへデータのエントリ後に表示されるインディケータサイン上のコンピュータの矢印と接触して作動される。
【００１０】
エントリが変更された後に、比較器は新しいデータエントリと再比較してエラーエントリまたは正しいエントリの存在を再び決定する。インディケータは、訂正がされる時間ごとにサインを表示する。
【発明を実施するための最良の形態】
【００１１】
発明のより完全な理解は以下に図面を参照して述べられる。図において、同じ参照記号は、幾つかの図面を通して同一または対応する構成要素およびユニットを表す。
【００１２】
本発明は、データがタブを使用することによりコンピュータにおけるフォームに入力されてひとつのエントリページから次のページへ移動する場合のデータエントリシステムに適応可能である。従来のシステムおよび方法は、ひとつのウインドウまたはエントリポイントに合うように各種の設定を複数のページにする。この設定は通常、カテゴリにグループ化される。
【００１３】
図１を参照すると、ユーザが一連の少なくとも２つのタブフォーム１１と１３にデータを入力する典型的なフォーム１０の画面表示である。入力されるデータは、比較器、通常はコンピュータ中のソフトウエアアルゴリズムへと進み、ここで有効データと比較される。例えば、有効データが正の数、または現在のデータエントリシステムに見られるような「イエス」または「ノー」のようなあるワードを要求され得る。有効データはまた、水のような材料の融点および沸点間のような、特定の範囲または所定の範囲に収まることを要求され得る。有効データはまた、通貨ユニット、圧力または他の特定値のような一定の所定の測定ユニット、またはデータの他のフォームを持っても良い。比較器は、少なくとも２つのタブフォームにおいてエンティテイを比較してタブフォーム間の関係が有効であるか否かを決定するように好ましくは設計される。その関係はまた、エントリの全範囲が比較され得るように各エントリの関連ある数値に基づいても良い。
【００１４】
比較器が入力されたデータと有効データ間の関係を決定すると、インディケータはその情報を受信して入力されたデータがエラーか正しいかを決定する。データが正しければ、インディケータは正しい記号を表示する。エラーが存在すれば、フォーム上またはその近くに表示される。
【００１５】
ツールチップは、エラーについての別の情報を表示することは有益である。ユーザはそれからエラーを示すフィールドにおけるデータ２３および入力されたデータおよび有効データ間の比較２５を再入力しても良い。図２において、ｘが使用され、彼女または彼が入力したデータが正しいか否かをユーザが直ちに知るように１５で、任意に赤または他の色で彩色できる。図３においてコンピュータの矢印１７は、エラー記号１５でポイントされ、「最大は最小よりも大きくなければならない”maximum must be greater than minimum”」のようにメッセージ１９が表示される。人がツールバー上のボタンをポイントする時に、これはＭｉｃｒｏｓｏｆｔ（登録商標）Ｗｏｒｄ  におけるツールチップのように機能する。図４において、正しい値は、ｘの代わりにチェックマークとして示されるように、フィールド１１に挿入されそして設定１５は真の値を表示する。
【００１６】
本発明の特定の実施形態が例示され且つ説明されたが、この実施形態は単に例示であり、当業者は本発明の趣旨および範囲を逸脱することなく種々の変更および変形をすることができる。全てのこのような均等の変形および変更がこの発明の範囲内に含まれ、請求の範囲により制限される以外に本発明が制限されることを意図するものではない。
【図面の簡単な説明】
【００１７】
【図１】２つのフォームに入力されたデータを持つ従来のタブフォームの画像表示である。
【図２】エラーが表示されている図１のフォームの画像表示である。
【図３】追加の情報を表示するツールチップを備えた図１と図２のフォームの画像表示である。
【図４】エラーが訂正された後の本発明のタブ付きフォームの画像表示である。
【符号の説明】
【００１８】
１１        フィールド
１５        エラーサイン
１７        矢印
１９        メッセージ
２３        データ
２５        比較器
【図１】
2006178971.tif 000003
【図２】
2006178971.tif 000004
【図３】
2006178971.tif 000005
【図４】
2006178971.tif 000006